(57)【要約】【課題】乗客コンベアの踏段を簡単に清掃できる乗客エレベータの踏段清掃装置を提供する。【解決手段】エスカレータ１０の下階側の乗降板４８の下方に設けられた踏段清掃装置５０であって、反転する踏段３０に水蒸気を噴き出す噴き出し管５４と、乗降板４８に設けられた水蒸気の注入口５８から噴き出し管５４に水蒸気を送るための連結管５６とを有する。【選択図】      図２
2014001030.tif 000002
【特許請求の範囲】
【請求項１】
乗降板の下方に設けられ、反転する踏段へ洗浄用の液体又は気体を噴き出す噴き出し口が開口した噴き出し管と、
前記液体又は前記気体を注入するために前記乗降板に設けられた注入口と、
前記乗降板の下方に設けられ、前記注入口と前記噴き出し管を結ぶ連結管と、
を有した乗客コンベアの踏段清掃装置。
【請求項２】
前記乗客コンベアがエスカレータであり、
前記噴き出し管、前記注入口、前記連結管とが前記エスカレータの下階側に設けられている、
請求項１に記載の乗客コンベアの踏段清掃装置。
【請求項３】
前記噴き出し管、前記連結管とが、前記注入口が開口した前記乗降板の下方に一体に固定されている、
請求項１又は２に記載の乗客コンベアの踏段清掃装置。
【請求項４】
前記噴き出し管は、前記踏段の幅方向に設けられ、
前記噴き出し口は、前記踏段のクリート溝及びライザ溝に対応して前記噴き出し管に開口している、
請求項１乃至３のいずれか一項に記載の乗客コンベアの踏段清掃装置。
【請求項５】
前記乗降板に開口した前記注入口に板状の蓋が着脱自在に被せてある、
請求項１乃至４のいずれか一項に記載の乗客コンベアの踏段清掃装置。
【請求項６】
前記注入口には、前記液体又は前記気体を噴射する高圧洗浄機の噴射ノズルが差し込み可能である、
請求項１乃至５のいずれか一項に記載の乗客コンベアの踏段清掃装置。
【請求項７】
前記注入口には、前記気体を噴射するエアーコンプレッサの噴射ノズルが差し込み可能である、
請求項１乃至５のいずれか一項に記載の乗客コンベアの踏段清掃装置。
【請求項８】
前記高圧洗浄機の電源プラグ、又は、前記エアーコンプレッサの電源プラグを差し込むためのコンセントを有する、
請求項６又は７に記載の乗客コンベアの踏段清掃装置。
【発明の詳細な説明】
【技術分野】
【０００１】
本発明の実施形態は、エスカレータや動く歩道などの乗客コンベアの踏段清掃装置に関するものである。
【背景技術】
【０００２】
従来より、エスカレータの踏段清掃は、管理者が湿らした布、又はモップなどにより踏段を一段ずつ手作業にて清掃を実施していた。
【０００３】
また、踏段の塵や油などを排除するために、ブラシを機械的に動かし清掃する清掃装置も提案されている。
【先行技術文献】
【特許文献】
【０００４】
【特許文献１】特開２００８−２８５２９２号公報
【特許文献２】特開２０００−２８１２７２号公報
【発明の概要】
【発明が解決しようとする課題】
【０００５】
しかし、管理者が手によって清掃作業を行なうのは時間がかかる上、踏段のクリート及びライザのクリート溝とライザ溝の凹底部まで清掃することは難しいという問題点があった。また、回転式のブラシによって清掃する場合には、清掃装置をエスカレータに別途設置しなければならないという問題点があった。
【０００６】
そこで、本実施形態は、上記問題点に鑑み、乗客コンベアの踏段を簡単に清掃できる乗客エレベータの踏段清掃装置を提供することを目的とする。
【課題を解決するための手段】
【０００７】
本実施形態は、乗降板の下方に設けられ、反転する踏段へ洗浄用の液体又は気体を噴き出す噴き出し口が開口した噴き出し管と、前記液体又は前記気体を注入するために前記乗降板に設けられた注入口と、前記乗降板の下方に設けられ、前記注入口と前記噴き出し管を結ぶ連結管と、を有した乗客コンベアの踏段清掃装置である。
【図面の簡単な説明】
【０００８】
【図１】一実施形態のエスカレータの側面から見た全体説明図である。
【図２】下階側の乗降板の位置における拡大説明図である。
【図３】踏段清掃装置の平面図である。
【図４】噴き出し管の噴き出し口とクリート溝との関係を示す図である。
【図５】踏段清掃装置を用いて清掃を行うときの斜視図である。
【図６】同じく清掃が終わった状態の斜視図である。
【発明を実施するための形態】
【０００９】
以下、本実施形態の乗客コンベアの清掃装置について図１〜図６に基づいて説明する。本実施形態では、乗客コンベアとしてエスカレータ１０を用いて清掃装置５０を説明する。
【００１０】
（１）エスカレータ１０の構造
エスカレータ１０の構造について図１に基づいて説明する。図１は、エスカレータ１０の側面から見た全体説明図である。
【００１１】
エスカレータ１０のトラス１２は、建物の上階側の建物梁と下階側の建物梁との間に掛け渡されている。このトラス１２は、上階側の水平トラス１４、下階側の水平トラス１６、両水平トラス１４，１６の間に設けられた斜めトラス１８とより構成されている。
【００１２】
上階側の水平トラス１４内部は機械室２０であり、機械室２０には、制御装置２２、駆動源であるモータ２４、上階側のスプロケット２６が設けられている。
【００１３】
下階側の水平トラス１６内部には、下階側のスプロケット２８が設けられ、上階側スプロケット２６と下階側スプロケット２８の間には、不図示の踏段チェーンが掛け渡されている。この踏段チェーンには、複数の踏段３０が取り付けられている。
【００１４】
踏段３０は、クリート（踏板）３２、ライザ３４を有し、踏板３２とライザ３４とは踏段フレーム３６に固定されている。踏段フレーム３６の前側には、前輪３８が回動可能に取り付けられ、後側には後輪４０が回動可能に取り付けられている。クリート３２、ライザ３４は凹凸形状をなし、クリート溝３３、ライザ溝３５が形成されている。
【００１５】
トラス１２の上面には、左右一対の欄干４２，４２が立設され、左右一対の欄干４２，４２には、それぞれ手摺りベルト４４，４４が設けられている。これら手摺りベルト４４，４４は、モータ２４により踏段３０と同期して移動する。
【００１６】
エスカレータ１０の上階側の水平トラス１４の上には取り外し自在な乗降板４６が設けられ、下階側の水平トラス１６の上面にも着脱自在な乗降板４８が設けられている。この乗降板４８は、下階側の水平トラス１６の内部を点検するための出入口として、トラス１２から取り外し可能な構造となっている。また、乗降板４８の中央部分には、長方形状の凹部である取り付け面６０が設けられ、その取り付け面６０には長方形の文字プレート５２が着脱自在に載置されている。この文字プレート５２は、建物などの設置構造、階数表示、又は、製造社名を表示するものであるが、使用者の指定により表示内容が変わるため、乗降板４８とは別部品であり、乗降板４８に対し着脱自在である（図５参照）。また、下階側の乗降板４８には、本実施形態の清掃装置５０が設けられている。この踏段清掃装置５０については後から詳しく説明する。
【００１７】
（２）踏段清掃装置５０の構造
次に、踏段清掃装置５０の構造について図２〜図３に基づいて説明する。
【００１８】
踏段清掃装置５０は、高圧の水蒸気によって踏段３０を清掃するものであり、噴き出し管５４、連結管５６、注入口５８とを有している。
【００１９】
注入口５８は、文字プレート５２を取り外した取り付け面６０に開口している。注入口５８には、市販の高圧洗浄機６４の噴射ノズル６６の先端が差し込め、高圧の水蒸気を注入できる。
【００２０】
噴き出し管５４は、乗降板４８の下方に固定されている。噴き出し管５４は、踏段３０の幅方向に設置され、所定間隔毎に噴き出し口６２がやや下方を向いて開口している。
【００２１】
連結管５６は、注入口５８と噴き出し管５４の中央部とを結ぶ手段であり、ホース又はパイプより構成されている。
【００２２】
さらに、この文字プレート５２の取り付け面６０には、高圧洗浄機６４の電源プラグを差し込むためのコンセント７０が設けられている。
【００２３】
噴き出し管５４の取り付け位置について更に詳しく説明する。噴き出し管５４の取り付け位置下方には、不図示の反転レールによって踏段３０が反転する。この踏段３０の反転する姿勢は、図２に示すように、クリート３２が外側に位置すると共にクリート３２の端部からライザ３４が下向きに設けられている。なお、踏段３０の姿勢は、エスカレータ１０が上昇方向であっても下降方向であっても変わることがない。そして、噴き出し管５４は、乗降板４８の下方であって、かつ、踏段３０のクリート３２とライザ３４との接合部付近に向かって噴き出し口６２から水蒸気を噴き出す。また、この噴き出し口６２の位置は、図３に示すように、クリート３２とライザ３４のクリート溝３３とライザ溝３５に向かって噴き出す。これによって、クリート溝３３とライザ溝３５の凹底部まで水蒸気が届く。
【００２４】
一方、上階側の踏段３０の反転方向は、図１に示すように、クリート３２の上部からライザ３４が設けられた姿勢となっているため、仮に乗降板４６の下方に噴き出し管５４を取り付け、噴き出し口６２から水蒸気を噴射しても、ライザ３４に水蒸気が直接当たらない可能性がある。そのため、本実施形態では下階側の反転部分に噴き出し管５４を設けている。
【００２５】
（３）踏段清掃装置５０の使用方法
次に、エスカレータ１０の管理者が、踏段清掃装置５０を用いて踏段３０を清掃する方法について説明する。
【００２６】
まず、図５に示すように、管理者は乗降板４８から文字プレート５２を取り外し、高圧洗浄機６４の噴射ノズル６６を注入口５８に差し込む。また、高圧洗浄機６４の電源プラグ６８をコンセント７０に差し込む。
【００２７】
次に、管理者はエスカレータ１０を点検動作のモードで移動させる。この場合に踏段３０は上昇方向でも下降方向でもよい。
【００２８】
次に、管理者は高圧洗浄機６４のスイッチをＯＮ状態にして水蒸気を高圧で噴き出す。図２と図３に示すように、噴射ノズル６６から噴射された高圧の水蒸気は、連結管５６を通って噴き出し管５４に至り、噴き出し口６２から踏段３０のクリート３２とライザ３４に向かって噴き出される。このときに、噴き出し口６２はクリート溝３３とライザ溝３５に対応して設けられているため、図４に示すように、クリート溝３３とライザ溝３５の凹底部まで水蒸気が届き、埃、塵、油などを取り除くことができる。これによって、踏段３０の隅々まで水蒸気によって清掃できる。踏段３０を清掃した水蒸気は、水平トラス１６内部に設けられている不図示の油受け部に流れ込み回収できる。
【００２９】
最後に、踏段３０の清掃が終了すると、高圧洗浄機６４のスイッチを切り、コンセント７０から電源プラグ６８を外して、図６に示すように、取り付け面６０に文字プレート５２を被せる。これによって、踏段３０の清掃が終了する。
【００３０】
（４）効果
上記実施形態の踏段清掃装置５０においては、噴き出し管５４の噴き出し口６２から噴射された水蒸気によって踏段３０を隅々まで掃除できる。この場合に、管理者は高圧洗浄機６４の噴射ノズル６６を注入口５８に差し込むだけでよく、従来のように手作業したり、清掃装置を踏段３０の上に設置したりする手間がない。
【００３１】
また、下階側の乗降板４８の下方に噴き出し管５４が設けられているため、踏段３０が反転するときにクリート３２とライザ３４の両方を一度に清掃できる。
【００３２】
踏段清掃装置５０を構成する噴き出し管５４、連結管５６及び注入口５８は、全て乗降板４８に設けられているため、従来この踏段清掃装置５０を有していなかったエスカレータ１０であっても、乗降板４８を交換するだけで、新たに踏段清掃装置５０を取り付けることができる。
【００３３】
噴き出し管５４の噴き出し口６２が、クリート３２とライザ３４のクリート溝３３とライザ溝３５に対応して開口しているため、クリート溝３３とライザ溝３５の凹底部まで清掃できる。
【００３４】
注入口５８とコンセント７０は、着脱自在な文字プレート５２の取り付け面６０に設けられているため、清掃作業が終了した後に文字プレート５２を取り付け面６０に被せると、注入口５８とコンセント７０が乗客から隠すことができる。
【００３５】
（５）変更例
上記実施形態では、注入口５８には高圧洗浄機６４の噴射ノズル６６を差し込み可能にしたが、これに限らず、空気を噴き出すエアコンプレッサのノズルを差し込み可能にして、高圧の空気によって清掃を行なってもよい。
【００３６】
また、高圧洗浄機６４やエアコンプレッサを接続せず、ホースなどによって洗浄液や洗浄気体を注入口５８から注入してもよい。
【００３７】
また、高圧洗浄機６４からは、水蒸気ではなく洗浄液を噴き出してもよい。
【００３８】
また、上階側の乗降板４６の下方に、本実施形態の踏段清掃装置５０を設けてもよい。
【００３９】
また、上記実施形態では、乗客コンベアとしてはエスカレータ１０で説明したが、動く歩道の乗降板の下方に踏段清掃装置５０を設けてもよい。
【００４０】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１０・・・エスカレータ、１２・・・トラス、１４・・・上階側の水平トラス、１６・・・下階側の水平トラス、３０・・・踏段、３２・・・クリート、３３・・・クリート溝、３４・・・ライザ、４８・・・下階側の乗降板、５０・・・踏段清掃装置、５２・・・文字プレート、５４・・・噴き出し管、５６・・・連結管、５８・・・注入口、６０・・・取り付け面、６２・・・噴き出し口、６４・・・高圧洗浄機、６６・・・噴射ノズル、６８・・・電源プラグ、７０・・・コンセント
【図１】
2014001030.tif 000003
【図２】
2014001030.tif 000004
【図３】
2014001030.tif 000005
【図４】
2014001030.tif 000006
【図５】
2014001030.tif 000007
【図６】
2014001030.tif 000008
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
乗降板の下方に設けられ、反転する踏段へ洗浄用の液体又は気体を噴き出す噴き出し口が開口した噴き出し管と、
前記液体又は前記気体を注入するために前記乗降板に設けられた注入口と、
前記乗降板の下方に、かつ、前記乗降板に沿って設けられ、前記注入口と前記噴き出し管を結ぶ連結管と、
を有した乗客コンベアの踏段清掃装置。
【請求項２】
前記乗客コンベアがエスカレータであり、
前記噴き出し管、前記注入口、前記連結管とが前記エスカレータの下階側に設けられている、
請求項１に記載の乗客コンベアの踏段清掃装置。
【請求項３】
前記噴き出し管、前記連結管とが、前記注入口が開口した前記乗降板の下方に一体に固定されている、
請求項１又は２に記載の乗客コンベアの踏段清掃装置。
【請求項４】
前記噴き出し管は、前記踏段の幅方向に設けられ、
前記噴き出し口は、前記踏段のクリート溝及びライザ溝に対応して前記噴き出し管に開口している、
請求項１乃至３のいずれか一項に記載の乗客コンベアの踏段清掃装置。
【請求項５】
前記乗降板に開口した前記注入口に板状の蓋が着脱自在に被せてある、
請求項１乃至４のいずれか一項に記載の乗客コンベアの踏段清掃装置。
【請求項６】
前記注入口には、前記液体又は前記気体を噴射する高圧洗浄機の噴射ノズルが差し込み可能である、
請求項１乃至５のいずれか一項に記載の乗客コンベアの踏段清掃装置。
【請求項７】
前記注入口には、前記気体を噴射するエアーコンプレッサの噴射ノズルが差し込み可能である、
請求項１乃至５のいずれか一項に記載の乗客コンベアの踏段清掃装置。
【請求項８】
前記高圧洗浄機の電源プラグ、又は、前記エアーコンプレッサの電源プラグを差し込むためのコンセントを有する、
請求項６又は７に記載の乗客コンベアの踏段清掃装置。
【手続補正２】
【補正対象書類名】明細書
【補正対象項目名】０００７
【補正方法】変更
【補正の内容】
【０００７】
本実施形態は、乗降板の下方に設けられ、反転する踏段へ洗浄用の液体又は気体を噴き出す噴き出し口が開口した噴き出し管と、前記液体又は前記気体を注入するために前記乗降板に設けられた注入口と、前記乗降板の下方に、かつ、前記乗降板に沿って設けられ、前記注入口と前記噴き出し管を結ぶ連結管と、を有した乗客コンベアの踏段清掃装置である。